(57)【要約】【課題】  番組受信中にＣＭが受信されたらリアルタイムにこのＣＭ部分を他の映像に置き換えて表示させることができる映像受信装置を提供する。【解決手段】  0.5秒以上の無音部を検出する無音検出部７と、受信中の番組の音声モードを検出する音声モード検出部８と、番組本編の音声モードを記憶する本編音声モード記憶部９と、受信中の番組の音声モードが本編音声モード記憶部９に記憶された音声モードと異なるとき音声モード不一致信号を出力する音声モード比較部１０と、無音検出部７の出力と音声モード比較部１０の出力を入力し、無音検出部７が0.5秒以上の無音部を検出し、音声モード比較部１０が音声モード不一致信号を出力したときＣＭの開始を検出するＣＭ開始検出部１１と、ＣＭ開始検出部１１によりＣＭが開始されたことが検出されたとき他のチャンネルにＣＭ時間だけ切り替えるＣＭカット手段を備えた。【選択図】図１
2006217523.tif 000002
【特許請求の範囲】
【請求項１】
放送電波を受信し放送番組の映像と音声を再生する映像受信装置において、
受信された放送番組の間に挿入されたＣＭの開始を検出するＣＭ開始検出手段と、
前記ＣＭ開始検出手段によりＣＭが開始されたことが検出されたとき受信チャンネルを所定時間だけ他のチャンネルに切り替えるＣＭカット手段を備えたことを特徴とする映像受信装置。
【請求項２】
放送電波を受信し放送番組の映像と音声を再生する映像受信装置において、
受信された放送番組の間に挿入されたＣＭの開始を検出するＣＭ開始検出手段と、
前記ＣＭ開始検出手段によりＣＭが開始されたことが検出されたとき受信チャンネルの信号を再生する代わりに外部メディア機器からの信号を所定時間だけ再生するＣＭカット手段を備えたことを特徴とする映像受信装置。
【請求項３】
放送電波を受信し放送番組の映像と音声を再生する映像受信装置において、
受信された放送番組の間に挿入されたＣＭの開始を検出するＣＭ開始検出手段と、
前記ＣＭ開始検出手段によりＣＭが開始されたことが検出されたとき受信チャンネルの信号を再生する代わりに内部記憶装置からの信号を所定時間だけ再生するＣＭカット手段を備えたことを特徴とする映像受信装置。
【請求項４】
放送電波を受信し放送番組の映像と音声を再生する映像受信装置において、
所定時間以上の無音部を検出する無音検出手段と、
受信中の番組の音声モードを検出する音声モード検出手段と、
番組本編の音声モードを記憶する本編音声モード記憶手段と、
前記受信中の番組の音声モードが前記本編音声モード記憶手段に記憶された音声モードと異なるとき音声モード不一致信号を出力する音声モード比較手段と、
前記無音検出手段出力と前記音声モード比較手段の出力を入力し、前記無音検出手段が所定時間以上の無音部を検出し、前記音声モード比較手段が音声モード不一致信号を出力したときＣＭの開始を検出するＣＭ開始検出手段と、
前記ＣＭ開始検出手段によりＣＭが開始されたことが検出されたとき他のチャンネル、外部メディア機器、又は内部記憶装置からの信号に所定時間だけ切り替えるＣＭカット手段を備えたことを特徴とする映像受信装置。
【請求項５】
受信された放送信号から所望の番組を選局するチューナと、前記チューナからの映像信号を処理する映像処理部と、前記映像処理部で処理された映像信号を画像として表示する表示器と、前記チューナからの音声信号を処理する音声処理部と、前記音声処理部で処理された音声信号を音声として再生するスピーカを備えた映像受信装置において、
前記音声処理部の出力信号を入力して０．５秒以上の無音部を検出する無音検出手段と、
前記音声処理部の出力信号を入力して音声モードを検出する音声モード検出手段と、
前記番組の本編における音声モードを記憶する本編音声モード記憶手段と、
前記音声モード検出手段の出力と前記本編音声モード記憶手段の出力を比較して両者の音声モードが不一致のとき不一致を示す信号を出力する音声モード比較手段と、
前記無音検出手段と前記音声モード比較手段に基づきＣＭ開始を判別するＣＭ判別手段とを備え、
前記ＣＭ判別手段の出力により所定時間だけ他のチャンネル、外部メディア機器、又は内部記憶装置からの信号に切り替えるＣＭカット手段を備えたことを特徴とする映像受信装置。
【請求項６】
前記ＣＭカット手段による切替が行われないようにするＣＭカットＯＮ／ＯＦＦ手段を備えたことを特徴とする請求項１乃至請求項５のいずれか一項に記載の映像受信装置。
【請求項７】
放送電波を受信し放送番組の映像と音声を再生する映像受信装置の番組受信方法において、
受信された放送番組の中に挿入されたＣＭの開始を検出し、
ＣＭが開始されたことが検出されたとき受信チャンネルを所定時間だけ他のチャンネルに切り替えることを特徴とする番組受信方法。
【請求項８】
放送電波を受信し放送番組の映像と音声を再生する映像受信装置の受信方法において、
受信された放送番組の中に挿入されたＣＭの開始を検出し、
ＣＭが開始されたことが検出されたとき受信チャンネルの信号を再生する代わりに外部メディア機器からの信号を所定時間だけ再生することを特徴とする番組受信方法。
【請求項９】
放送電波を受信し放送番組の映像と音声を再生する映像受信装置の受信方法において、
受信された放送番組の中に挿入されたＣＭの開始を検出し、
ＣＭが開始されたことが検出されたとき受信チャンネルの信号を再生する代わりに内部記憶装置からの信号を所定時間だけ再生することを特徴とする番組受信方法。
【発明の詳細な説明】
【技術分野】
【０００１】
本発明は、地上波アナログ放送、地上波デジタル放送、ＢＳデジタル放送、ＣＳデジタル放送、その他外部メディア機器や内部記憶装置からの信号を入力して映像や音声を視聴する映像受信装置に係り、特に放送受信中にコマーシャル（以下ＣＭという）部分を検出したら、該ＣＭの代わりに他のチャンネルを表示するか、他の外部メディア機器、又は内部記憶装置からの信号を再生するをようにした映像受信装置、及び受信方法に関する。
【背景技術】
【０００２】
従来のこの種映像受信装置において、受信された放送番組を、一旦記憶装置に記憶させたものを再生する場合に、ＣＭ部分がある場合、このＣＭ部分をカット（あるいはスキップ）するようにするものがある。この場合、ＣＭ部分を検出する方法として、特開２００２−２４７５１６号公報（特許文献１）に記載されているように、音声信号に０．５秒以上の無音部があり、音声のモード切替（モノラル、２ヶ国語、ステレオといった３つに分けられる音声多重放送モードの切替）を検出し、ＣＭに特徴的な１５秒、あるいは３０秒の継続期間を検出したらＣＭであると判断するものが多く採用されていた。
【０００３】
図６は特開２００２−２４７５１６号公報（特許文献１）に記載された放送データの様子を示したものである。縦軸に音量、横軸に時間をとって、本編Ｘと本編Ｙの間にＣＭ１とＣＭ２が挿入された音声データの番組本編とＣＭの時間的な流れが示されている。図６では、本編ＸとＣＭ１の間に０．５秒以上の無音部が有り、又、ＣＭ２と本編Ｙの間にも無音部が有る。またＣＭ１とＣＭ２の間にも０．５秒以上の無音部があることが示されている。そしてＣＭ１，ＣＭ２はＣＭに特徴的な１５秒、あるいは３０秒の継続期間を有している。ＣＭ部分の検出はこのような０．５秒以上の無音部の存在と、音声モードの切替やＣＭに特徴的な１５秒、あるいは３０秒の継続期間を利用して検出するものである。
【０００４】
その他ＣＭ部分をスキップして再生する技術として特開２００２−２４７５２４号公報（特許文献２）などがある。
【特許文献１】特開２００２−２４７５１６号公報
【特許文献２】特開２００２−２４７５２４号公報
【発明の開示】
【発明が解決しようとする課題】
【０００５】
しかしながら、上記従来技術では、ＣＭ部分を検出するために、ＣＭに特徴的な１５秒、あるいは３０秒の継続期間を検出するようにしているため、この１５秒、あるいは３０秒の継続期間後でないと、ＣＭに特徴的な１５秒、あるいは３０秒の継続期間であるかどうかが判断できない。このため、番組受信中に、番組本編からＣＭに移るときの無音部を検出してリアルタイムに直ちにＣＭカット、あるいは他の映像に切り替えることはできない。したがって従来技術では上記のように、一旦記憶装置に記憶させたものから、ＣＭ部分の期間を検出してこのＣＭ期間をカット、あるいはスキップさせていた。
【０００６】
しかし、このように一旦記憶させてからＣＭ部分をカット、あるいはスキップさせるのではなく、番組受信中にＣＭが受信されたらリアルタイムにこのＣＭ部分を他の映像に置き換えて表示させたいという要望がある。
【０００７】
本発明の目的は、ＣＭが受信されたら速やかに他の映像に置き換えて表示させることができる映像受信装置を提供することにある。
【課題を解決するための手段】
【０００８】
本発明の請求項１に係る発明の要旨は、放送電波を受信し放送番組の映像と音声を再生する映像受信装置において、受信された放送番組の間に挿入されたＣＭの開始を検出するＣＭ開始検出手段と、前記ＣＭ開始検出手段によりＣＭが開始されたことが検出されたとき受信チャンネルを所定時間だけ他のチャンネルに切り替えるＣＭカット手段を備えたことを特徴とする映像受信装置に存する。
また、本発明の請求項２に係る発明の要旨は、放送電波を受信し放送番組の映像と音声を再生する映像受信装置において、受信された放送番組の間に挿入されたＣＭの開始を検出するＣＭ開始検出手段と、前記ＣＭ開始検出手段によりＣＭが開始されたことが検出されたとき受信チャンネルの信号を再生する代わりに外部メディア機器からの信号を所定時間だけ再生するＣＭカット手段を備えたことを特徴とする映像受信装置に存する。
また、本発明の請求項３に係る発明の要旨は、放送電波を受信し放送番組の映像と音声を再生する映像受信装置において、受信された放送番組の間に挿入されたＣＭの開始を検出するＣＭ開始検出手段と、前記ＣＭ開始検出手段によりＣＭが開始されたことが検出されたとき受信チャンネルの信号を再生する代わりに内部記憶装置からの信号を所定時間だけ再生するＣＭカット手段を備えたことを特徴とする映像受信装置に存する。
また、本発明の請求項４に係る発明の要旨は、放送電波を受信し放送番組の映像と音声を再生する映像受信装置において、所定時間以上の無音部を検出する無音検出手段と、受信中の番組の音声モードを検出する音声モード検出手段と、番組本編の音声モードを記憶する本編音声モード記憶手段と、前記受信中の番組の音声モードが前記本編音声モード記憶手段に記憶された音声モードと異なるとき音声モード不一致信号を出力する音声モード比較手段と、前記無音検出手段出力と前記音声モード比較手段の出力を入力し、前記無音検出手段が所定時間以上の無音部を検出し、前記音声モード比較手段が音声モード不一致信号を出力したときＣＭの開始を検出するＣＭ開始検出手段と、前記ＣＭ開始検出手段によりＣＭが開始されたことが検出されたとき他のチャンネル、外部メディア機器、又は内部記憶装置からの信号に所定時間だけ切り替えるＣＭカット手段を備えたことを特徴とする映像受信装置に存する。
また、本発明の請求項５に係る発明の要旨は、受信された放送信号から所望の番組を選局するチューナと、前記チューナからの映像信号を処理する映像処理部と、前記映像処理部で処理された映像信号を画像として表示する表示器と、前記チューナからの音声信号を処理する音声処理部と、前記音声処理部で処理された音声信号を音声として再生するスピーカを備えた映像受信装置において、前記音声処理部の出力信号を入力して０．５秒以上の無音部を検出する無音検出手段と、前記音声処理部の出力信号を入力して音声モードを検出する音声モード検出手段と、前記番組の本編における音声モードを記憶する本編音声モード記憶手段と、前記音声モード検出手段の出力と前記本編音声モード記憶手段の出力を比較して両者の音声モードが不一致のとき不一致を示す信号を出力する音声モード比較手段と、前記無音検出手段と前記音声モード比較手段に基づきＣＭ開始を判別するＣＭ判別手段とを備え、前記ＣＭ判別手段の出力により所定時間だけ他のチャンネル、外部メディア機器、又は内部記憶装置からの信号に切り替えるＣＭカット手段を備えたことを特徴とする映像受信装置に存する。
また、本発明の請求項６に係る発明の要旨は、前記ＣＭカット手段による切替が行われないようにするＣＭカットＯＮ／ＯＦＦ手段を備えたことを特徴とする請求項１乃至請求項５のいずれか一項に記載の映像受信装置に存する。
また、本発明の請求項７に係る発明の要旨は、放送電波を受信し放送番組の映像と音声を再生する映像受信装置の番組受信方法において、受信された放送番組の中に挿入されたＣＭの開始を検出し、ＣＭが開始されたことが検出されたとき受信チャンネルを所定時間だけ他のチャンネルに切り替えることを特徴とする番組受信方法に存する。
また、本発明の請求項８に係る発明の要旨は、放送電波を受信し放送番組の映像と音声を再生する映像受信装置の受信方法において、受信された放送番組の中に挿入されたＣＭの開始を検出し、ＣＭが開始されたことが検出されたとき受信チャンネルの信号を再生する代わりに外部メディア機器からの信号を所定時間だけ再生することを特徴とする番組受信方法に存する。
また、本発明の請求項９に係る発明の要旨は、放送電波を受信し放送番組の映像と音声を再生する映像受信装置の受信方法において、受信された放送番組の中に挿入されたＣＭの開始を検出し、ＣＭが開始されたことが検出されたとき受信チャンネルの信号を再生する代わりに内部記憶装置からの信号を所定時間だけ再生することを特徴とする番組受信方法に存する。
【発明の効果】
【０００９】
本発明によれば、放送されているＣＭの代わりに他のチャンネルをリアルタイムに表示したり、他の外部メディア機器、又は内部記憶装置からの信号を再生することができる。
【発明を実施するための最良の形態】
【００１０】
次に、本発明を実施するための最良の形態を、図面を参照して具体的に説明する。
【００１１】
（第１の実施の形態）
図１は本発明の第１の実施の形態である映像受信装置１４を示すものである。１は放送電波を受信するアンテナである。２はアンテナ１で受信した放送電波から所望のチャンネルを選局するチューナである。チューナ２で選局された映像信号は映像処理部３で処理され表示器４に供給されて画像表示される。一方、チューナ２で選局された音声信号は音声処理部５で処理されスピーカ６に供給されて音声再生される。視聴チャンネルは図示のようにＣＭ開始検出部１１の出力をチューナ２に入力し切り替えられるようになっているが、ユーザがリモートコントローラ（以下リモコンという）１５を操作することによって、このリモコン１５からの信号をリモコン受信部１２で受信し、この信号をチューナ２に入力して切り替えられるようにもなっている。
【００１２】
また、７は音声処理部５の出力を入力して無音部を検出する無音検出部である。無音部分を検出するには特開２０００−１１５７１２号公報に記載の無音部分検出方法が利用できる。
【００１３】
８は音声処理部５の番組本編やＣＭを含んだ出力を入力して音声モードの種別を検出する音声モード検出部である。音声モードにはモノラル、２ヶ国語、ステレオといった３つに分けられる音声多重放送モードがある。これら音声モードの判別には特開平３−１５８０８６号公報の２ヶ国語放送モード判別方法、特開平３−２６２２８７号公報のステレオ放送モード判別方法が利用できる。
【００１４】
９は、ＣＭ開始検出部１１の信号を基に番組本編の期間を判別し、音声モード検出部８で検出された音声モードから番組本編の音声モードを検出して記憶する本編音声モード記憶部である。
【００１５】
１０は、音声モード検出部８で検出された音声モードと、本編音声モード記憶部９に記憶された番組本編の音声モードを比較し、音声モードの不一致（または一致）を検出する音声モード比較部である。
【００１６】
１１は音声モード比較部１０からの検出信号と無音検出部７からの検出信号を入力してＣＭかどうかを判別し、ＣＭの開始を検出するＣＭ開始検出部である。
【００１７】
１３はＣＭ開始検出部１１の信号を無効にしてＣＭカット機能が働かないようにするＣＭカット機能ＯＮ／ＯＦＦ部である。ＣＭカット機能が働かないようにするためにはリモコン１５の操作によりＣＭカット機能を無効にする信号を送ることにより行われる。これはリモコン１５にＣＭカット機能ＯＮ／ＯＦＦキーを設けておいても良いし、メニューを表示させて選択するようにしても良い。
【００１８】
なお、これら符号２〜１３で示した各処理部や検出部などは映像受信装置１４に備わる図示しないマイクロコンピュータ（以下マイコンという）により制御されているものである。
【００１９】
次に、図２を参照して、本実施の形態における動作フローを説明する。
【００２０】
まず、ステップＳ１において、ユーザはリモコン１５を操作して所望の放送チャンネルを選局し、選局されたチャンネルの番組を表示して視聴する。
ステップＳ２において、上記選局されて放送されている番組本編の音声モードを検出するために、現在受信されているものが番組本編かＣＭかの検出を開始する。
【００２１】
ステップＳ３で番組本編が検出されたか否かをＣＭ開始検出部１１でチェックする。この番組本編が検出されたか否かをチェックする方法は、上記特許文献１の番組本編かＣＭかを判別する方法を利用することができる。ＣＭ開始検出部１１は無音検出部７の出力を基にＣＭ期間と番組本編の期間を区別して検出することができる。番組本編が検出されないとき（ＮＯのとき）は、ステップＳ２へ戻り番組本編の検出を継続する。
【００２２】
ステップＳ３で番組本編が検出されたとき（ＹＥＳのとき）は、ステップＳ４において、ＣＭ開始検出部１１から本編音声モード記憶部９へ信号を送り、音声処理部５の出力信号から音声モード検出部８により音声モードの種別を検出して、該検出された音声モードの種別を本編音声モード記憶部９へ記憶する。
【００２３】
次に、ステップＳ５に進み、無音検出部７により所定時間（０．５秒）以上の無音を検出する。無音検出部７により検出された検出信号はＣＭ開始検出部１１に入力される。
【００２４】
ステップＳ６において、無音部が終わり音声信号が再開された時の音声モードが音声モード比較部１０で比較され、番組本編の音声モードと同じか否かがチェックされる。
【００２５】
ステップＳ６において、再開された時の音声モードが番組本編の音声モードと同じであった場合にはステップＳ１に戻り選局されたチャンネルの番組を表示する。
【００２６】
ステップＳ６において、音声モード記憶部９に記憶された番組本編の音声モードと異なっている場合には、ステップＳ７に進み、ＣＭに特有な継続時間１５秒だけ他のチャンネルを表示する。
【００２７】
ステップＳ８において、元の選局されたチャンネルに戻し、ステップＳ６に戻る。
【００２８】
ステップＳ８からステップＳ６に戻ったときに、再開された元の選局されたチャンネルの音声モードをチェックし、音声モードが番組本編の音声モードと異なっている場合にはＣＭが続行されているとして、更に１５秒間だけ他のチャンネルを表示する。
【００２９】
ステップＳ８からステップＳ６に戻ったときに、再開された元の選局されたチャンネルの音声モードをチェックし、音声モードが番組本編の音声モードであれば番組本編が開始されたとしてステップＳ１に戻り以下同様の動作を継続する。
【００３０】
以上、本発明の第１の実施の形態による映像受信装置を具体的に説明したが、本実施の形態によれば、放送されているＣＭの代わりに他のチャンネルをリアルタイムに表示することができる。
【００３１】
上記ステップＳ７では、ＣＭに特有な継続時間１５秒にあわせて１５秒間だけ他チャンネルを表示するようにしたが、マイコンの処理時間などを考慮して１５秒のＣＭ期間が修了する時間に合うように増減することもできる。
【００３２】
（第２の実施の形態）
図３は本発明の第２の実施の形態である映像受信装置２０を示すものである。１は放送電波を受信するアンテナである。２２はアンテナ１で受信した放送電波から所望のチャンネルを選局するチューナである。チューナ２２で選局された映像信号は切替回路２３を介して映像処理部３に出力され、映像処理部３で処理された映像信号は表示器４に供給されて画像として表示される。一方、チューナ２２で選局された音声信号は切替回路２３を介して音声処理部５に出力され、音声処理部５で処理された音声信号はスピーカ６に供給されて音声として再生される。視聴チャンネルはユーザがリモコン１５を操作することによって、このリモコン１５からの信号をリモコン受信部１２で受信し、この信号によりチューナ２２を切り替えられるようになっている。
【００３３】
また、２４は第２音声処理部で、切替回路２３の影響を受けないように切替回路２３の上流側より信号を入力するようになっている。７は音声処理部５の出力を入力して無音部を検出する無音検出部である。８は音声処理部５の番組本編やＣＭを含んだ出力を入力して音声モードの種別を検出する音声モード検出部である。
【００３４】
９は、ＣＭ開始検出部１１の信号を基に番組本編の期間を判別し、音声モード検出部８で検出された音声モードから番組本編の音声モードを検出して記憶する本編音声モード記憶部である。
【００３５】
１０は、音声モード検出部８で検出された音声モードと、本編音声モード記憶部９に記憶された番組本編の音声モードを比較し、音声モードの不一致（または一致）を検出する音声モード比較部である。
【００３６】
１１は音声モード比較部１０からの検出信号からの検出信号を入力してＣＭかどうかを判別するＣＭ開始検出部である。
【００３７】
２６は外部メディア機器で、例えばＤＶＤ、ビデオレコーダなどである。
切替回路２３は上記チューナ２２からの信号と外部メディア機器２６からの信号とを入力し、ＣＭ開始検出部２１からの判別信号により、ＣＭが放送されていると判別されたら外部メディア機器２６の信号を選択して出力し、番組本編が放送されていると判別されたらチューナ２２からの信号を選択して出力する。
【００３８】
２５はＣＭ開始検出部１１の信号を無効にしてＣＭカット機能が働かないようにするＣＭカット機能ＯＮ／ＯＦＦ部である。ＣＭカット機能が働かないようにするためにはリモコン１５の操作によりＣＭカット機能を無効にする信号を送ることにより行われる。これはリモコン１５にＣＭカット機能ＯＮ／ＯＦＦキーを設けておいても良いし、メニューを表示させて選択するようにしても良い。
【００３９】
なお、これら符号３〜１０、２１〜２５で示した各処理部や検出部などは映像受信装置２０に備わる図示しないマイコンにより制御されているものである。
【００４０】
次に、図４を参照して、本実施の形態における動作フローを説明する。
【００４１】
まず、ステップＳ１１において、ユーザはリモコン１５を操作して所望の放送チャンネルを選局し、選局されたチャンネルの番組を視聴する。
【００４２】
ステップＳ１２において、上記選局されて放送されている番組本編の音声モードを検出するために、現在受信されているものが番組本編かＣＭかの検出を開始する。この検出は第１の実施の形態と同様にして行うことができる。
【００４３】
ステップＳ１３で番組本編が検出されたか否かをチェックする。番組本編が検出されないとき（ＮＯのとき）は、ステップＳ１２へ戻り番組本編の検出を継続する。
【００４４】
ステップＳ１３で番組本編が検出されたとき（ＹＥＳのとき）は、ステップＳ１４において、第２音声処理部２４の出力信号から音声モード検出部８により音声モードの種別を検出して、該検出された音声モードの種別を本編音声モード記憶部９へ記憶する。
【００４５】
次に、ステップＳ１５に進み、無音検出部７により所定時間（０．５秒）以上の無音を検出する。無音検出部７により検出された検出信号はＣＭ判定部２１に入力される。
【００４６】
ステップＳ１６において、無音部が終わり音声信号が再開された時の音声モードが、番組本編の音声モードと同じか否かが音声モード比較部１０でチェックされる。
【００４７】
ステップＳ１６において、再開された時の音声モードが番組本編の音声モードと同じであった場合にはステップＳ１１に戻り選局されたチャンネルの番組を表示する。
【００４８】
ステップＳ１６において、音声モード記憶部９に記憶された番組本編の音声モードと異なっている場合には、ステップＳ１７に進み、切替回路２３はＣＭ開始検出部２１からの判別信号に基づき外部メディア機器２６の信号を選択し、外部メディア機器２６に記録された映像、音声などを再生する。この場合、外部メディア機器のデータが再生されているけれども、元の選局されたチャンネルの音声モードは第２音声処理部２４で検出されており、現在放送されているものが番組本編かＣＭかの判別ができるようになっている。以下、ステップＳ１５に戻り、以下同様の動作を継続する。
【００４９】
以上、本発明の第２の実施の形態による映像受信装置を具体的に説明したが、本実施の形態によれば、放送されているＣＭの代わりに、ＣＭ期間中だけ外部メディア機器のデータ（映像、音声データなど）を再生することができる。したがって、外部メディア機器に記録されたものを断続的にではあるが視聴することができる。
【００５０】
（第３の実施の形態）
図５は本発明の第３の実施の形態である映像受信装置３０を示すものである。この第３の実施の形態は第２の実施の形態と比べると、外部メディア機器２６の代わりに内部記憶装置３１が備わっている点が異なっている。内部記憶装置３１は映像受信装置３０に内蔵された例えばハードディスク（ＨＤＤ）や、映像受信装置３０にメモリカードが着脱可能に取り付けられる半導体メモリとすることができる。
【００５１】
第３の実施の形態は、内部記憶装置３１を外部メディア機器２６に読み替えれば、第２の実施の形態のとほぼ同様なので説明は省略する。
第３の実施の形態によれば、第２の実施例と同様な効果を奏することができる。
【００５２】
以上、第１乃至第３の実施の形態について具体的に説明したが、本発明は上記実施の形態に限定されることなく、本発明の要旨の範囲内で適宜変更して実施することができることはいうまでもない。
【産業上の利用可能性】
【００５３】
本発明は、番組本編にＣＭが挿入された放送を受信する映像受信装置に広く利用することができる。
【図面の簡単な説明】
【００５４】
【図１】本発明による第１の実施の形態の映像受信装置の構成図を示すものである。
【図２】本発明による第１の実施の形態の動作フローチャートである。
【図３】本発明による第２の実施の形態の映像受信装置の構成図を示すものである。
【図４】本発明による第２の実施の形態の動作フローチャートである。
【図５】本発明による第３の実施の形態の映像受信装置の構成図を示すものである。
【図６】現在放送されている放送番組本編とＣＭの時間関係を説明する図である。
【符号の説明】
【００５５】
１・・・アンテナ
２、２２・・・チューナ
３・・・映像処理部
４・・・表示器
５・・・音声処理部
６・・・スピーカ
７・・・無音検出部
８・・・音声モード検出部
９・・・本編音声モード記憶部
１０・・・音声モード比較部
１１、２１・・・ＣＭ開始検出部
１２・・・リモコン受信部
１３、２５・・・ＣＭカット機能ＯＮ／ＯＦＦ部
１４、２０、３０・・・映像受信装置
１５・・・リモコン（リモートコントローラ）
２３・・・切替回路
２４・・・第２音声処理部
２６・・・外部メディア機器
３１・・・内部記憶装置
【図１】
2006217523.tif 000003
【図２】
2006217523.tif 000004
【図３】
2006217523.tif 000005
【図４】
2006217523.tif 000006
【図５】
2006217523.tif 000007
【図６】
2006217523.tif 000008